(57)【要約】【課題】光変調手段に附着した異物などをシンプルな構成によりデフォーカス化できる光学的に直列な２段階の光変調手段を備えた画像表示装置、およびプロジェクタを提供すること。【解決手段】画像表示装置７０は、光学的に直列に接続された色変調ライトバルブ２３と、輝度変調ライトバルブ４３とを備えることから、各ライトバルブにおける輝度ダイナミックレンジを乗じた広い輝度ダイナミックレンジを有している。さらに、色変調ライトバルブ２３の画像形成面１０８は、共役面Ｋ１から光軸Ｃｅに沿って所定の長さｄシフトしていることから、色変調ライトバルブ２３の画像形成面１０８に形成された画像は、輝度変調ライトバルブ４３の画像形成面１１８に所定の長さｄに応じた度合いボケた状態でリレーされる。これにより、色変調ライトバルブ２３に異物が附着していても、異物による像（影）はデフォーカスされる。【選択図】図４
2007218946.tif 000002
【特許請求の範囲】
【請求項１】
光を出射する光源部と、
前記光源部からの光を画像形成面にて変調し第１変調光として出射する第１光変調手段と、
前記第１変調光を画像形成面にてさらに変調する第２光変調手段と、
前記第１変調光を前記第２光変調手段にリレーするリレー光学系と、を備え、
平板状をなした前記第１光変調手段と、前記第２光変調手段とは、前記リレー光学系の光軸が略垂線となるように配置され、前記第１光変調手段の画像形成面と、前記第２光変調手段の画像形成面とのいずれか一方は、前記リレー光学系を介した他方の画像形成面の共役面から光軸に沿って所定の長さシフトして配置されることを特徴とする画像表示装置。
【請求項２】
前記第２光変調手段における前記第１変調光の入射面、および当該第１変調光をさらに変調した第２変調光の出射面には、所定の厚さを有する防塵ガラスがそれぞれ配置されていることを特徴とする請求項１に記載の画像表示装置。
【請求項３】
前記第１光変調手段の画像形成面は、前記リレー光学系を介した前記第２光変調手段の画像形成面の共役面から光軸に沿って所定の長さシフトして配置され、前記第１光変調手段の入射面または出射面のうち、前記第２光変調手段の画像形成面の共役面に近い方の面に防塵ガラスを備えることを特徴とする請求項１または２に記載の画像表示装置。
【請求項４】
光を出射する光源部と、
前記光源部からの光を変調し第１変調光として出射する第１光変調手段と、
前記第１変調光をさらに変調する第２光変調手段と、
前記第１変調光を前記第２光変調手段にリレーするリレー光学系と、を備え、
前記第２光変調手段における前記第１変調光の入射面、および当該第１変調光をさらに変調した第２変調光の出射面には、所定の厚さを有する防塵ガラスがそれぞれ配置されていることを特徴とする画像表示装置。
【請求項５】
前記リレー光学系は、両側テレセントリック性を有した光学系であることを特徴とする請求項１〜４のいずれか一項に記載の画像表示装置。
【請求項６】
請求項１〜５のいずれか一項に記載の画像表示装置と、前記画像表示装置の第２光変調手段から出射される第２変調光を投写する投写光学系とを、備えることを特徴とするプロジェクタ。
【発明の詳細な説明】
【技術分野】
【０００１】
本発明は、光学的に直列に配置された複数段の光変調手段を備える画像表示装置およびプロジェクタに関する。
【背景技術】
【０００２】
近年、ＬＣＤ（Liquid Crystal Display）、ＥＬ（Electro-luminescence）ディスプレイ、プラズマディスプレイ、ＣＲＴ（Cathode Ray Tube）、プロジェクタ等の電子ディスプレイ装置における画質改善は目覚しく、解像度、色域については人間の視覚特性にほぼ匹敵する性能を有する装置が実現されつつある。しかし、輝度ダイナミックレンジについてみると、その再現範囲は１〜１０2［nit］程度の範囲であり、また階調数は８ビットが一般的である。一方、人間の視覚は、一度に知覚し得る輝度ダイナミックレンジの範囲が１０-2〜１０4［nit］程度あり、また輝度弁別能力は０．２［nit］でこれを階調数に換算すると１２ビット相当であると言われている。このような視覚特性を考慮して現在のディスプレイ装置の表示画像を見ると、輝度ダイナミックレンジの狭さが目立ち、加えてシャドウ部やハイライト部の階調数が不足しているため、表示画像のリアリティや迫力に対して物足りなさを感じることになる。
【０００３】
図６は、従来のプロジェクタにおける光学構成の概要図である。
このような状況を鑑み、階調数などを高めるための技術として、例えば、特許文献１に示されるプロジェクタ２００が提案されている。
プロジェクタ２００は、光源部２０１から射出される光Ｗを、光の３原色である赤色（Ｒ）、緑色（Ｇ）、青色（Ｂ）の各色光に分離し、各色光の光路ごとに設置された各色光用の第１段目の光変調手段である第１液晶ライトバルブ２０３Ｒ，２０３Ｇ，２０３Ｂに入射させる。
第１液晶ライトバルブ２０３Ｒ，２０３Ｇ，２０３Ｂから出射された各色光ごとの変調光は、ダイクロイックミラー２０５，２０６により合成され、フルカラーの第１変調光としてリレーレンズ２０７を介して第２段目の光変調手段である第２液晶ライトバルブ２０８に入射される。さらに第２液晶ライトバルブ２０８にて変調された画像を表す第２変調光は、投写レンズ２０９によりスクリーンに拡大投写される。
【０００４】
ここで、第１液晶ライトバルブ２０３Ｒ，２０３Ｇ，２０３Ｂの暗表示の透過率が０．２％、明表示の透過率が６０％であった場合を考える。また、第２液晶ライトバルブ２０８の透過率も同様であったとする。光変調素子単体では、第１液晶ライトバルブ２０３Ｒ，２０３Ｇ，２０３Ｂおよび第２液晶ライトバルブ２０８ともに輝度ダイナミックレンジは、６０／０．２＝３００となる。
プロジェクタ２００によれば、輝度ダイナミックレンジが３００の光変調素子を光学的に直列に配置していることに相当することから、３００×３００＝９００００の輝度ダイナミックレンジを実現することができる。また、階調数についてもこれと同等の考えが成り立ち、各液晶ライトバルブの階調数が８ビットであった場合、光変調素子を光学的に直列に配置することにより、８ビットを超える階調数を得ることができる。
【０００５】
また、光変調素子に液晶ライトバルブを用いる場合、液晶ライトバルブの入射面または出射面にゴミなどの異物が附着していると異物が画像に写り込んでしまうことがあるため、写り込みを低減する技術として、２枚の防塵ガラスにより、液晶ライトバルブを挟み込む構成が一般的に採用されていた。特許文献１には、仔細な記載はないが、プロジェクタ２００においても、防塵ガラスを用いているものと推定される。なお、当該構成に関する技術は、例えば、特許文献２などに提案されている。
【０００６】
図７は、プロジェクタ２００の第１液晶ライトバルブ２０３Ｒ，２０３Ｇ，２０３Ｂから、リレーレンズ２０７を介して第２液晶ライトバルブ２０８までの光学構成を示している。なお、第１液晶ライトバルブ２０３Ｒ，２０３Ｇ，２０３Ｂについては、光学的に等価な第１液晶ライトバルブ２０３として１枚にまとめて図示している。
第１液晶ライトバルブ２０３は、ベース基板２１１と、対向基板２１３と、当該基板間に封入された液晶２１２などから構成されている。光源からの光は、対向基板２１３の入射面Ｆｓから入射し、液晶２１２層（以降、「画像形成面」ともいう）にて画像を表す第１変調光に変調され、ベース基板２１１の出射面Ｒｓからリレーレンズ２０７側に出射される。また、第２液晶ライトバルブ２０８も、同様にベース基板２２１と、対向基板２２３と、液晶２２２などから構成されている。
また、第１液晶ライトバルブ２０３の画像形成面である液晶２１２層と、第２液晶ライトバルブ２０８の画像形成面である液晶２２２層とは、それぞれがリレーレンズ２０７を介した共役面Ｑ１，Ｑ２に配置されていた。
【０００７】
ここで第１液晶ライトバルブ２０３および第２液晶ライトバルブ２０８の入射面Ｆｓおよび出射面Ｒｓには、それぞれ防塵ガラス２１５が密着して設けられている。
これにより、例えば、第１液晶ライトバルブ２０３の出射面Ｒｓ側の防塵ガラス２１５にゴミ２１７が附着していた場合、ゴミ２１７の位置は、共役面Ｑ１に配置されている液晶２１２層からベース基板２１１および防塵ガラス２１５の厚さ分だけ離れているため、ゴミ２１７による像（影）は、デフォーカスされ、画像に与える影響は低減される。同様に、第１液晶ライトバルブ２０３の入射面Ｆｓ側の防塵ガラス２１５、および第２液晶ライトバルブ２０８の各防塵ガラス２１５面に附着した異物による像も、デフォーカスされ、投写画像に与える影響を低減していた。
【０００８】
【特許文献１】特開平６−１６７６９０号公報
【特許文献２】特開平９−１１３９０６号公報
【発明の開示】
【発明が解決しようとする課題】
【０００９】
しかしながら、従来のプロジェクタ２００では、第１液晶ライトバルブ２０３Ｒ，２０３Ｇ，２０３Ｂと、第２液晶ライトバルブ２０８との計４枚の液晶ライトバルブごとに、２枚ずつの防塵ガラスが必要であった。総枚数でいうと、４×２＝８枚もの防塵ガラスが必要であった。
このように、従来のプロジェクタ２００では、８枚もの防塵ガラスが必要であったため、部品点数が多く、部品および加工コストが高くなってしまうという問題点があった。
【００１０】
上記課題を解決するために、本発明では、光変調手段に附着した異物などをシンプルな構成によりデフォーカス化できる光学的に直列な２段階の光変調手段を備えた画像表示装置、およびプロジェクタを提供することを目的とする。
【課題を解決するための手段】
【００１１】
上述した目的を達成するために、本発明の画像表示装置は、光を出射する光源部と、光源部からの光を画像形成面にて変調し第１変調光として出射する第１光変調手段と、第１変調光を画像形成面にてさらに変調する第２光変調手段と、第１変調光を第２光変調手段にリレーするリレー光学系と、を備え、平板状をなした第１光変調手段と、第２光変調手段とは、リレー光学系の光軸が略垂線となるように配置され、第１光変調手段の画像形成面と、第２光変調手段の画像形成面とのいずれか一方は、リレー光学系を介した他方の画像形成面の共役面から光軸に沿って所定の長さシフトして配置されることを特徴とする。
【００１２】
この構成によれば、画像表示装置は、リレー光学系を介して、第１光変調手段と第２光変調手段との光学的に直列な２段階の光変調手段を有している。
さらに、第１光変調手段の画像形成面と、第２光変調手段の画像形成面とのいずれか一方は、リレー光学系を介した他方の画像形成面の共役面から光軸に沿って所定の長さシフトして配置されるため、第１光変調手段の画像形成面に形成された画像は、第２光変調手段の画像形成面に所定のシフト量に応じた度合いボケた状態でリレーされる。
よって、所定のシフト長さを、画像情報を伝達するとともに、第１光変調手段に附着したゴミなどの異物をデフォーカスさせる程度の長さにすることにより、従来のプロジェクタのように複数枚の防塵ガラスを必要とせずに、異物をデフォーカス化することができる。
従って、光変調手段に附着した異物などをシンプルな構成によりデフォーカス化できる光学的に直列な２段階の光変調手段を有する画像表示装置を提供することができる。
【００１３】
本発明の画像表示装置によれば、第２光変調手段における第１変調光の入射面、および当該第１変調光をさらに変調した第２変調光の出射面には、所定の厚さを有する防塵ガラスがそれぞれ配置されていることが好ましい。
【００１４】
この構成によれば、第２光変調手段の入射面、および出射面には、所定の厚さを有する防塵ガラスがそれぞれ配置されている。よって、第２光変調手段の防塵ガラス面に異物が附着した場合であっても、異物による像（影）は、デフォーカスされた状態で投写レンズなどの後段の光学系に伝達されることから、投写画像に与える影響は低減される。
また、防塵ガラスが８枚も必要であった従来の画像表示装置と異なり、本発明の画像表示装置における防塵ガラスの枚数は、第２光変調手段に設置される２枚のみである。
さらに、各光変調手段への異物の附着による画像への影響を防塵ガラス８枚の構成によって低減していた従来のプロジェクタと異なり、本発明の画像表示装置は、同等の作用効果を、光変調手段の配置と、第２光変調手段に備えられた２枚の防塵ガラスというシンプルな構成によって達成することができる。
従って、光変調手段に附着した異物などをシンプルな構成によりデフォーカス化できる光学的に直列な２段階の光変調手段を有する画像表示装置を提供することができる。
【００１５】
本発明の画像表示装置によれば、第１光変調手段の画像形成面は、リレー光学系を介した第２光変調手段の画像形成面の共役面から光軸に沿って所定の長さシフトして配置され、第１光変調手段の入射面または出射面のうち、第２光変調手段の画像形成面の共役面に近い方の面に防塵ガラスを備えることが好ましい。
【００１６】
第１光変調手段の画像形成面の位置を共役面からシフトさせた場合、画像形成面から略同等の間隔を持っている入射面および出射面のうち、いずれか一方は、共役面に近づき、他方の面は、共役面から遠ざかることになる。
この構成によれば、第１光変調手段の入射面または出射面のうち、第２光変調手段の画像形成面の共役面に近い方の面に防塵ガラスを備えることから、共役面に近いため異物による像の画像への写り込みが懸念される側の面に、防塵ガラスが備えられる。
よって、防塵ガラスが備えられた面の異物像をデフォーカスすることができる。
従って、光変調手段に附着した異物などをシンプルな構成によりデフォーカス化できる光学的に直列な２段階の光変調手段を有する画像表示装置を提供することができる。
【００１７】
上述した目的を達成するために、本発明の画像表示装置は、光を出射する光源部と、光源部からの光を変調し第１変調光として出射する第１光変調手段と、第１変調光をさらに変調する第２光変調手段と、第１変調光を第２光変調手段にリレーするリレー光学系と、を備え、第２光変調手段における第１変調光の入射面、および当該第１変調光をさらに変調した第２変調光の出射面には、所定の厚さを有する防塵ガラスがそれぞれ配置されていることを特徴とする。
【００１８】
この構成によれば、画像表示装置は、リレー光学系を介して、第１光変調手段と第２光変調手段との光学的に直列な２段階の光変調手段を有している。
また、画像表示装置としての最終的な画像は、後段の第２光変調手段にて変調された第２変調光により表される画像であることから、光変調手段に附着するゴミや異物が最終画像に与える影響は、第１光変調手段よりも、第２光変調手段にて発生したものの方が大きい。
第２光変調手段には、入射面および出射面に、所定の厚さを有する防塵ガラスがそれぞれ配置されていることから、最終画像に影響を与える割合が大きい第２光変調手段に附着したゴミなどの異物は、防塵ガラスによって確実にデフォーカス化される。
従って、光変調手段に附着した異物などをシンプルな構成によりデフォーカス化できる光学的に直列な２段階の光変調手段を有する画像表示装置を提供することができる。
【００１９】
本発明の画像表示装置によれば、リレー光学系は、両側テレセントリック性を有した光学系であることが好ましい。
【００２０】
この構成によれば、リレー光学系は、両側テレセントリック性を有した光学系であることから、第１または第２光変調手段のいずれかの画像形成面が共役面からシフトしていたとしても、第１光変調手段の特定の画素から出射された光束は、リレー光学系の光軸と略平行な光束として第２光変調手段の対応する画素に進行する。
よって、当該光束は、多少ボケたとしても、第２光変調手段の対応する画素に明るさなどの必要な画像情報を伝達することができる。
従って、画像情報を正確にリレーすることができるリレー光学系を備えた画像表示装置を提供することができる。
【００２１】
上述した目的を達成するために、本発明のプロジェクタは、前記記載の画像表示装置と、画像表示装置の第２光変調手段から出射される第２変調光を投写する投写光学系とを、備えることを特徴とする。
【００２２】
この構成によれば、プロジェクタは、光変調手段に附着した異物などをシンプルな構成によりデフォーカス化できる光学的に直列な２段階の光変調手段を有する画像表示装置から出射される第２変調光を、投写光学系により投写する。
よって、プロジェクタは、シンプルな構成により、異物による像の写り込みを低減した画像を投写する。
従って、光変調手段に附着した異物などをシンプルな構成によりデフォーカス化できる光学的に直列な２段階の光変調手段を有するプロジェクタを提供することができる。
【発明を実施するための最良の形態】
【００２３】
以下、本発明の実施形態を図面に基づいて説明する。
【００２４】
（実施形態）
《プロジェクタの概要》
図１は、本発明の一態様のプロジェクタにおける光学構成を主体とした概略構成図である。ここでは、図１を用いてプロジェクタ１００の概略構成について光学構成を中心に説明する。
プロジェクタ１００は、光源部５から出射される光を、第１光変調手段としての液晶ライトバルブ２３Ｒ，２３Ｇ，２３Ｂと、光学的に直列に配置された第２光変調手段としての液晶ライトバルブ４３とにより２段階に変調し、生成された画像を表す第２投写光を投写レンズ８０から拡大投写する投写型のプロジェクタである。
プロジェクタ１００は、画像表示装置７０と、投写光学系としての投写レンズ８０などから構成されている。なお、本発明における画像表示装置７０は、プロジェクタ１００から、投写レンズ８０を除いた構成部位を指す。
【００２５】
《画像表示装置の概要》
画像表示装置７０は、光源部５、均一照明系１０、色変調部３０、リレー光学系４０、輝度変調部５０、回路部６０などから構成されている。
光源部５は、キセノンランプや、高圧水銀ランプなどの高輝度が得られる放電式ランプ１と、ランプ１が放射した光を集光し、均一照明系１０に向けて出射するリフレクタ３を含んで構成されている。
均一照明系１０は、２枚のフライアイレンズ６と、偏光変換素子７と、集光レンズ８とを含んで構成されている。
フライアイレンズ６は、光源５方向から見て略矩形形状の輪郭を有する小レンズがマトリクス状に配列された構成を有し、２枚で対となっている。対となった各小レンズは、光源部５から出射された光束を部分光束に分割し、光軸方向に射出する。各小レンズから出射された複数の光源像は、集光レンズ８を介することにより、それぞれが液晶ライトバルブ２３Ｒ，２３Ｇ，２３Ｂ面にて結像される。これにより、液晶ライトバルブ２３Ｒ，２３Ｇ，２３Ｂ面における輝度分布は、均一化される。
【００２６】
偏光変換素子７は、ＰＢＳ（Polarization Beam Splitter）アレイと、１／２波長板などから構成され、ランダム偏光を特定の直線偏光に変換する。特定の直線偏光は、入射偏光板２１に入射可能な偏光であるため、偏光変換素子７がない場合、入射偏光板２１を透過できずに熱として無駄に費やされてしまっていた光を有効に活用することができる。
色変調部３０は、複数の反射ミラー１１，１５，１８、光分離手段としての２つのダイクロイックミラー１２，１３と、２つのリレーレンズ１７と、３つの平行化レンズ２０と、３つの液晶ライトバルブ２３Ｒ，２３Ｇ，２３Ｂと、クロスダイクロイックプリズム２９などから構成されている。
【００２７】
均一照明系１０から出射された光は、反射ミラー１１で反射されダイクロイックミラー１２に入射する。
ダイクロイックミラー１２は、ガラス板等にＢ光およびＧ光を反射しＲ光を透過する性質のダイクロイック膜を形成した光学素子であり、Ｂ光およびＧ光をダイクロイックミラー１３側に反射し、Ｒ光を透過する。ダイクロイックミラー１２を透過したＲ光は、反射ミラー１５で反射し、平行化レンズ２０により平行化され液晶ライトバルブ２３Ｒの入射偏光板２１に入射する。
ダイクロイックミラー１３は、Ｇ光を反射しＢ光を透過する性質のダイクロイック膜を備えた光学素子であり、Ｇ光を液晶ライトバルブ２３Ｇ側に反射しＢ光を透過する。ダイクロイックミラー１３で反射したＧ光は、平行化レンズ２０により平行化され液晶ライトバルブ２３Ｇの入射偏光板２１に入射する。
ダイクロイックミラー１３を透過したＢ光は、リレーレンズ１７を介して反射ミラー１８で反射され、さらにリレーレンズ１７を介して反射ミラー１８で反射された後、平行化レンズ２０により平行化され液晶ライトバルブ２３Ｂの入射偏光板２１に入射する。２つのリレーレンズ１７は、分離された３色光の中で最も長い光路を通過するＢ光の減衰を防ぐために設けられている。
【００２８】
図２（ａ）は、一態様における液晶ライトバルブの正面図である。図２（ｂ）は、液晶ライトバルブの側断面図である。ここでは、図２（ａ），（ｂ）を中心に、適宜図１を交えて液晶ライトバルブ２３Ｒ，２３Ｇ，２３Ｂの概略構成および作用について、液晶ライトバルブ２３Ｒを例として説明する。
第１光変調手段である液晶ライトバルブ２３Ｒは、画素電極（図示せず）およびこれを駆動するための薄膜トランジスタ素子や薄膜ダイオード等のスイッチング素子１０３が格子状に形成されたベース基板１０１と、全面に渡って共通電極（図示せず）が形成された対向基板１０２との間に液晶１０８を挟み込んだ構成を持つアクティブマトリクス型の液晶表示素子である。なお、光変調は、液晶１０８層にて行われるため、以降、液晶１０８層のことを「画像形成面」とも称する。
また、ベース基板１０１および対向基板１０２は、ガラス、石英ガラス、シリコンガラスなどの透明な硬質ガラスにより構成されている。
【００２９】
液晶ライトバルブ２３Ｒには、解像度に応じた複数の画素１０５が格子状に設けられており、各画素は、光を透過する開口部１０６と、光を遮断する遮光部であるブラックマトリクス１０７とから構成されている。
ブラックマトリクス１０７は、光を嫌うスイッチング素子１０３を遮光するために、光の入射方向から見て当該スイッチング素子を十分に覆い隠す大きさを持って対向基板１０２に設けられている。なお、対向基板１０２の入射面Ｆｓ側において画素１０５ごとにマイクロレンズを設け、ブラックマトリクス１０７に向かう光を集光して開口部１０６から透過させる構成であっても良い。この構成によれば、光の利用効率を向上させることができる。
【００３０】
また、液晶ライトバルブ２３Ｒは、電圧非印加状態で白／明（透過）状態、電圧印加状態で黒／暗（非透過）状態となるノーマリーホワイトモード又はその逆のノーマリーブラックモードで駆動され、与えられた制御値に応じて明暗間の階調がアナログ制御される。また、好適な階調数は、８〜１０ビット程度である。
入射偏光板を通過したＲ光は、対向基板１０２の入射面Ｆｓから入射し、画像形成面である液晶１０８層において画像データに基づいて変調され、ベース基板１０１の出射面Ｒｓから出射偏光板２５に出射される。そして出射偏光板２５から、光学像を内包した赤色の変調光がクロスダイクロイックプリズム２９内に出射される。なお、出射偏光板２５は、クロスダイクロイックプリズム２９に貼り付けられ、当該クロスダイクロイックプリズムと一体となっている。
【００３１】
ここまで、赤色光用の液晶ライトバルブ２３Ｒについて説明したが、緑色光用の液晶ライトバルブ２３Ｇ、および青色光用の液晶ライトバルブ２３Ｂについても、液晶ライトバルブ２３Ｒと同様の構成および作用を有している。
従って、液晶ライトバルブ２３Ｇからは光学像を内包した緑色の変調光が、液晶ライトバルブ２３Ｂからは光学像を内包した青色の変調光が、それぞれの出射偏光板２５を介してクロスダイクロイックプリズム２９内に出射される。
【００３２】
図１に戻る。
クロスダイクロイックプリズム２９は、４つの直角プリズムが貼り合わされた構造を持ち、内部にＸ字状に設けられたＧ光を透過しＢ光を反射する誘電体多層膜であるダイクロイック膜２７と、Ｇ光を透過しＲ光を反射する誘電体多層膜であるダイクロイック膜２８とを備えている。
クロスダイクロイックプリズム２９は、液晶ライトバルブ２３Ｇからの緑色の変調光を透過し、当該緑色の変調光に、液晶ライトバルブ２３Ｒからの赤色の変調光と、液晶ライトバルブ２３Ｂからの青色の変調光とを反射して重畳し、三原色の変調光を合成したフルカラーの画像を内包した変調光である第１変調光をリレー光学系４０側に出射する。
【００３３】
リレー光学系４０は、液晶ライトバルブ２３Ｒ，２３Ｇ，２３Ｂから出射されクロスダイクロイックプリズム２９で合成された第１変調光を、第２光変調手段である液晶ライトバルブ４３に伝達するための光学系である。ここで、液晶ライトバルブ４３は、解像度および光変調特性を含めて液晶ライトバルブ２３Ｒ，２３Ｇ，２３Ｂと同様の構成を備えている。
このため、リレー光学系４０には、複数の画素光束の集合体である第１変調光を、画素ごとに一対一対応をとって正確に液晶ライトバルブ４３の各画素に入射させることが要求される。
このような要求に対応するため、リレー光学系４０は、それぞれが光軸Ｃｅ上に直線的に配置された前段レンズ群３２、開口絞り３５、後段レンズ群３７などから構成され、両側テレセントリック性を有する光学系となっている。なお、前段レンズ群３２および後段レンズ群３７は、複数の凸レンズおよび凹レンズなどを含んで構成されている。
なお、リレー光学系４０と、第１光変調手段である液晶ライトバルブ２３Ｒ，２３Ｇ，２３Ｂ、および第２光変調手段である液晶ライトバルブ４３との光学的な配置関係などについては後述する。
【００３４】
リレー光学系４０から出射された第１変調光は、輝度変調部５０に入射する。
輝度変調部５０は、入射偏光板４１、防塵ガラス４２、液晶ライトバルブ４３、防塵ガラス４４、出射偏光板４５などから構成されている。
リレー光学系４０からの第１変調光は、入射偏光板４１と、防塵ガラス４２を介して液晶ライトバルブ４３に入射する。
液晶ライトバルブ４３に入射した第１変調光は、画像形成面である液晶層（図示せず）にてさらに変調され、防塵ガラス４４および出射偏光板４５を介して第２変調光として投写レンズ８０方向に出射される。なお、入射偏光板４１は入射偏光板２１と、出射偏光板４５は出射偏光板２５と、それぞれ同様な偏光板である。
また、防塵ガラス４２および防塵ガラス４４は、ガラス、石英ガラス、シリコンガラスなどの透明な硬質ガラスにより構成され、製造段階において液晶ライトバルブ４３の入射面および出射面にそれぞれ密着して貼り付けられている。
【００３５】
なお、液晶ライトバルブ２３Ｒ，２３Ｇ，２３Ｂ、および液晶ライトバルブ４３は、いずれも透過光の強度を変調し、その変調度合いに応じた光学像を内包する点では同じであるが、後者の液晶ライトバルブ４３は全波長域の光（白色光）を変調するのに対して、前者の液晶ライトバルブ２３Ｒ，２３Ｇ，２３Ｂは分光された特定波長領域の光（Ｒ，Ｇ，Ｂ光）を変調する点で両者は異なっている。
このため、以下説明においては、液晶ライトバルブ２３Ｒ，２３Ｇ，２３Ｂで行われる光強度変調を「色変調」、液晶ライトバルブ４３で行われる光強度変調を「輝度変調」と便宜的に呼称して区別する。また、同様の観点から、液晶ライトバルブ２３Ｒ，２３Ｇ，２３Ｂを「色変調ライトバルブ」、液晶ライトバルブ４３を「輝度変調ライトバルブ」と呼称して区別する場合がある。
【００３６】
《投写レンズの概要》
投写レンズ８０は、輝度変調部５０から出射された第２変調光を拡大投写する光学系である。投写レンズ８０は、ガウスタイプなどの複数のレンズを組合せた広角ズームレンズである。なお、図１、図４および図５においては、１枚のレンズに簡略化しているが、実際には複数のレンズにより構成され、複数のレンズには、収差の少ない非球面レンズが含まれていても良い。
【００３７】
《回路部の概要》
図３は、表示制御部の概略構成図である。ここでは、図３を用いて回路部６０の概要および表示制御部５５の概略構成について説明する。
回路部６０は、プロジェクタ１００の各部に電力を供給する電源回路、放電式ランプ１を点灯させ、安定した点灯状態を維持するためのイグナイタ回路およびバラスト回路を含むランプ駆動回路（いずれも図示せず）、表示制御部５５、ライトバルブ駆動装置１８０、記憶装置１８２などのプロジェクタ１００の動作を制御するための複数の構成部位および回路から構成されている。
【００３８】
表示制御部５５は、ＣＰＵ１７０、ＲＯＭ１７２、ＲＡＭ１７４、Ｉ／Ｆ部１７８などから構成されている。
ＣＰＵ１７０は、ＣＰＵ（Central Processing Unit）であり、制御プログラムに基づいて演算及びシステム全体を制御する。
ＲＯＭ１７２は、マスクＲＯＭや、フラッシュメモリ、ＦｅＲＡＭなどの不揮発性のメモリであり、予め所定領域にＣＰＵ１７０の制御プログラムや、諸データなどを格納している。
ＲＡＭ１７４は、ＲＡＭ（Random Access Memory）であり、ＲＯＭ１７２から読み出したデータやＣＰＵ１７０の演算過程で必要な演算結果を格納する。
Ｉ／Ｆ部１７８は、インターフェイス回路であり、ライトバルブ駆動装置１８０などの接続装置に対してデータの入出力を媒介する。また、ＣＰＵ１７０、ＲＯＭ１７２、ＲＡＭ１７４、およびＩ／Ｆ部１７８間は、バスラインであるバス１７９により相互にかつデータ授受可能に接続されている。
【００３９】
Ｉ／Ｆ部１７８には、輝度変調ライトバルブ（液晶ライトバルブ４３）、および色変調ライトバルブ（液晶ライトバルブ２３Ｒ，２３Ｇ，２３Ｂ）を駆動するライトバルブ駆動装置１８０と、データやテーブル等をファイルとして記憶する記憶装置１８２と、外部のネットワークに接続するための信号線１９９とが接続されている。
記憶装置１８２は、ＨＤＲ（High Dynamic Range）表示データを記憶している。ＨＤＲ表示データは、従来のｓＲＧＢ等の画像フォーマットでは実現できない高い輝度ダイナミックレンジを実現することができる画像データであり、画素の輝度レベルを示す画素数を画像の全画素について格納し、特にＣＧの世界において、ＣＧオブジェクトを実際の風景に合成するために用いられている。画像形式としては様々なものが存在するが、従来のｓＲＧＢ等の画像フォーマットよりも高い輝度ダイナミックレンジを実現するために浮動少数点形式で画素数を格納する形式が多い。また、格納する値としては、人間の視覚特性を考慮しない物理的な放射輝度（Ｒａｄｉａｎｃｅ＝Ｗ／（ｓｒ・ｍ2）や、人間の視覚特性を考慮した輝度（ｌｕｍｉｎａｎｃｅ＝ｃｄ／ｍ2）に関する値等がある。
【００４０】
ここで、輝度変調ライトバルブ、および色変調ライトバルブの制御値をどのように決定するかについて説明する。
ＨＤＲ表示データにおける輝度レベルをＲｐ、輝度変調ライトバルブの透過率をＴ１、色変調ライトバルブの画素の透過率をＴ２、光変調率をＴｐ、とすると下式が成立する。なお、定数として光源部５の輝度をＲｓ、ゲインＧを１、とする。
Ｒｐ＝Ｔｐ×Ｒｓ  …（１）
Ｔｐ＝Ｔ１×Ｔ２×Ｇ  …（２）
【００４１】
表示制御処理は、ＨＤＲ表示データに基づいて輝度変調ライトバルブおよび色変調ライトバルブの制御値をそれぞれ決定し、決定した制御値に基づいて輝度変調ライトバルブおよび色変調ライトバルブを駆動する処理であって、ＣＰＵ１７０において実行されると、ＨＤＲ表示データを記憶装置１８２から読み出す。
次いで、読み出したＨＤＲデータを解析し、画素値のヒストグラムや、輝度レベルの最大値、最小値、および平均値を算出する。この解析結果は、暗めのシーンを明るくしたり、明るすぎるシーンを暗くしたり、中間部コントラストを強調するなどの自動画像補正に使用したり、トーンマッピングに使用したりするためである。
【００４２】
次いで、この解析結果に基づいて、ＨＤＲ表示データの輝度レベルをプロジェクタ１００の輝度ダイナミックにトーンマッピングし、色変調ライトバルブの解像度に合わせてＨＤＲ画像をリサイズ（拡大又は縮小）し、リサイズ画像の各画素の輝度レベルＲｐおよび光源部５の輝度Ｒｓに基づいて、上式（１）によりリサイズ画像の画素ごとに光変調率Ｔｐを算出する。
次いで、色変調ライトバルブの各画素の透過率をＴ２として初期値を与え、透過率Ｔ２を仮決定する。
次いで、仮決定した透過率Ｔ２に基づいて、上式（２）により、輝度変調ライトバルブの透過率Ｔ１を決定し、当該ライトバルブの各画素の制御値を決定した後、色変調ライトバルブの透過率Ｔ２を決定し、当該ライトバルブの各画素の制御値を決定する。
このようにして求められた制御値に基づいて、輝度変調ライトバルブおよび色変調ライトバルブを駆動する。
【００４３】
本実施形態では、輝度変調ライトバルブおよび色変調ライトバルブの対応する画素の比を、１：１とし、これに合わせて輝度変調ライトバルブの透過率Ｔ１と、色変調ライトバルブの透過率Ｔ２とを決定し、決定したＴ１，Ｔ２の値に基づいて輝度変調ライトバルブおよび色変調ライトバルブの制御値を決定している。
これにより、各ライトバルブの制御値を計算する際の演算が簡略化され、処理回路を軽くすることができ、かつ、鮮鋭度の高い映像を表示することができる。
【００４４】
《リレー光学系および光変調手段の構成》
図４は、色変調ライトバルブから投写レンズまでの光学系の概略構成図である。
ここでは、本発明の特徴点であるリレー光学系４０における輝度変調ライトバルブと、色変調ライトバルブの光学上の配置、および各ライトバルブの態様について図４を中心に、適宜図１を交えて説明する。
なお、図４においては、図１の液晶ライトバルブ２３Ｒ，２３Ｇ，２３Ｂ、およびクロスダイクロイックプリズム２９から構成される部位を、光学的に等価な１枚の色変調ライトバルブ２３として示している。また、入射偏光板２１，４１および出射偏光板２５，４５については、図示を省略している。
【００４５】
輝度変調ライトバルブ４３は、色変調ライトバルブ２３と同様の液晶ライトバルブであり、ベース基板１１１、対向基板１１２、液晶１１８などから構成されている。
平板状をなした色変調ライトバルブ２３と、輝度変調ライトバルブ４３とは、それぞれの画面の中央部において、光軸Ｃｅが略垂線となるようにリレー光学系４０の前後に配置されている。
輝度変調ライトバルブ４３の画像形成面である液晶１１８層は、リレー光学系４０を介して共役面Ｋ１と共役関係にある共役面Ｋ２に設けられている。
また、色変調ライトバルブ２３の画像形成面である液晶１０８層は、共役面Ｋ１から光軸Ｃｅに沿って所定の長さｄシフトして配置されている。
【００４６】
ここで、色変調ライトバルブ２３の所定の画素ａ１１から出射される部分光束の進行態様について考えてみる。
画素ａ１１は共役面Ｋ１から所定の長さｄ離れているが、画素ａ１１から出射される部分光束は、光学的に当該画素に対応するリレー光学系４０の部分光軸Ｃａに沿って進行する。また、部分光軸Ｃａは、両側テレセントリック性を有するリレー光学系４０の部分光軸であるため、色変調ライトバルブ２３の入射面Ｆｓおよび出射面Ｒｓに対して略垂直、すなわち、主光軸である光軸Ｃｅに対して略平行な光軸である。
画素ａ１１から出射された部分光束は、部分光軸Ｃａに沿って前段レンズ群３２に入射し、開口絞り３５および後段レンズ群３７を通過した後、部分光軸Ｃｂに沿って輝度変調ライトバルブ４３の画素ｂ１１に入射する。なお、画素ｂ１１は、色変調ライトバルブ２３の画素ａ１１に対応する画素である。また、部分光軸Ｃｂも、部分光軸Ｃａと同様に、主光軸である光軸Ｃｅに対して略平行な光軸である。
ここで、画素ａ１１は共役面Ｋ１から所定の長さｄ離れているため、画素ｂ１１に結像される画像は、所定の長さｄに応じてボケたものとなるが、画素ａ１１の明るさなどの画像情報は、確実に伝達される設定となっている。
【００４７】
このようにして、リレー光学系４０により、色変調ライトバルブ２３における画素ａ１１の明るさなどの画像情報が、輝度変調ライトバルブ４３の対応する画素ｂ１１に一対一対応でリレーされる。
所定の長さｄは、投写画像を形成するために必要な画像情報を正確に伝達し、かつ、色変調ライトバルブ２３の入射面Ｆｓ、または出射面Ｒｓにゴミなどの異物が附着していた場合に、異物による像（影）をデフォーカスする程合いの長さに設定されている。
入射面Ｆｓ、または出射面Ｒｓに附着する異物には、色変調ライトバルブ２３の製造段階に附着したゴミ、ケバ、傷や、色変調ライトバルブ２３をプロジェクタ１００に組み込む段階で附着したゴミ、ケバ、傷、さらにはプロジェクタ１００の使用段階で附着したゴミ、ケバなどが含まれる。
【００４８】
また、輝度変調ライトバルブ４３の入射面Ｆｓには防塵ガラス４２が、出射面Ｒｓには防塵ガラス４４が、それぞれ設けられている。防塵ガラス４２，４４は、それぞれが輝度変調ライトバルブ４３の製造段階において、それぞれ入射面Ｆｓおよび出射面Ｒｓに接着されている。また、接着後、異物の挟み込みがないか厳重に検査されている。
異物をデフォーカス化するためには、防塵ガラス４２，４４の外側の面が、共役面Ｋ２に設けられた液晶１１８層から約２ｍｍ以上離れていることが望ましい。ここで、ベース基板１１１および対向基板１１２の厚さがそれぞれ０．７〜１．１ｍｍ程度であることから、所定の厚さとしての防塵ガラス４２，４４の厚さは、約１．３ｍｍ以上に設定されている。
なお、防塵ガラス４２の厚さと、防塵ガラス４４の厚さとを、異なる厚さに設定しても良い。例えば、輝度変調ライトバルブ４３の入射面Ｆｓにマイクロレンズが設けられている場合は、マイクロレンズによる集光作用が加わることにより、異物をデフォーカスするために必要な厚さが変ってくるため、当該作用の影響を鑑みた上で各防塵ガラスの厚さをそれぞれ最適化することが望ましい。
【００４９】
また、図４においては、色変調ライトバルブ２３が共役面Ｋ１からリレー光学系４０方向にシフトされた構成について説明したが、この構成に限定するものではない。例えば、色変調ライトバルブ２３がリレー光学系４０から離れる方向にシフトする構成であっても良いし、輝度変調ライトバルブ４３が共役面Ｋ２からシフトする構成であっても良い。
つまり、色変調ライトバルブ２３の画像形成面、または輝度変調ライトバルブ４３の画像形成面のいずれか一方が、リレー光学系４０を介した他方の画像形成面の共役面から光軸に沿って所定の長さシフトして配置される構成であれば良い。
【００５０】
図５は、図４における構成の異なる態様を示す図である。
ここでは、図４の構成において、色変調ライトバルブ２３に防塵ガラスを追加した態様について図５を中心に適宜図４を交えて説明する。
図５に示される構成は、色変調ライトバルブ２３の入射面Ｆｓに防塵ガラス４７が設けられていること以外は、図４における構成と同一である。
色変調ライトバルブ２３の液晶１０８層の位置を共役面Ｋ１からシフトさせると、液晶１０８層から略同等の間隔を持っている入射面Ｆｓおよび出射面Ｒｓのうち、いずれか一方は、共役面Ｋ１に近づき、他方の面は、共役面Ｋ１から遠ざかることになる。図４および図５の態様の場合、入射面Ｆｓは共役面Ｋ１に近くなり、出射面Ｒｓは共役面Ｋ１から遠くなっている。このため、図５の光学系においては、色変調ライトバルブ２３の入射面Ｆｓに防塵ガラス４７が設けられている。所定の厚さとしての防塵ガラス４７の厚さは、約２ｍｍ以上であることが望ましい。
なお、入射面Ｆｓに防塵ガラス４７を設ける構成に限定するものではなく、色変調ライトバルブ２３の共役面Ｋ１からのシフト量および方向に応じて、共役面Ｋ１と近くなる面に防塵ガラスを設ければ良い。
【００５１】
上述した通り、本実施形態によれば以下の効果が得られる。
（１）画像表示装置７０は、リレー光学系４０を介して、色変調ライトバルブ２３と、輝度変調ライトバルブ４３との光学的に直列な２段階の光変調手段を有している。
さらに、色変調ライトバルブ２３の画像形成面と、輝度変調ライトバルブ４３の画像形成面とのいずれか一方は、リレー光学系４０を介した他方の画像形成面の共役面から光軸に沿って所定の長さシフトして配置されることから、色変調ライトバルブ２３の画像形成面に形成された画像は、輝度変調ライトバルブ４３の画像形成面にシフト長さに応じた度合いボケた状態でリレーされる。
よって、シフト長さを、画像情報を伝達するとともに、色変調ライトバルブ２３に附着したゴミなどの異物をデフォーカスさせる程度の長さにすることにより、多くの防塵ガラスを必要とせずに、異物をデフォーカス化することができる。
従って、光変調手段に附着した異物などをシンプルな構成によりデフォーカス化できる光学的に直列な２段階の光変調手段を有する画像表示装置７０を提供することができる。
【００５２】
（２）輝度変調ライトバルブ４３の入射面Ｆｓには防塵ガラス４２が、出射面Ｒｓには防塵ガラス４４が、それぞれ設けられている。よって、輝度変調ライトバルブ４３の入射面Ｆｓまたは出射面Ｒｓに異物が附着した場合であっても、異物による像（影）は、デフォーカスされた状態で投写レンズ８０に伝達されることから、投写画像に与える影響は低減される。
また、画像表示装置７０における防塵ガラスの枚数は、輝度変調ライトバルブ４３に備えられた防塵ガラス４２，４４の２枚のみである。画像表示装置７０は、当該２枚の防塵ガラスと、色変調ライトバルブ２３を共役面Ｋ１から所定の長さｄシフトさせるというシンプルな構成により、光変調手段に附着した異物による画像への影響を低減させることができる。
従って、光変調手段に附着した異物などをシンプルな構成によりデフォーカス化できる光学的に直列な２段階の光変調手段を有する画像表示装置７０を提供することができる。
【００５３】
（３）色変調ライトバルブ２３の入射面Ｆｓまたは出射面Ｒｓのうち、共役面Ｋ１に近い方の面に防塵ガラス４７を備えることから、共役面Ｋ１に近いため異物による像の画像への写り込みが懸念される側の面に、防塵ガラス４７が備えられる。
よって、色変調ライトバルブ２３に附着した異物による画像への影響を低減させることができる。
従って、光変調手段に附着した異物などをシンプルな構成によりデフォーカス化できる光学的に直列な２段階の光変調手段を有する画像表示装置７０を提供することができる。
【００５４】
（４）リレー光学系４０は、両側テレセントリック性を有した光学系であることから、色変調ライトバルブ２３または輝度変調ライトバルブ４３のいずれかの画像形成面が、共役面Ｋ１，Ｋ２からシフトしていたとしても、色変調ライトバルブ２３の画素ａ１１から出射された光束は、リレー光学系４０の光軸Ｃｅと略平行な光束として輝度変調ライトバルブ４３の対応する画素ｂ１１に進行する。
よって、当該光束は、多少ボケたとしても、輝度変調ライトバルブ４３の対応する画素ｂ１１に明るさなどの必要な画像情報を伝達することができる。
従って、画像情報を正確にリレーすることができるリレー光学系４０を備えた画像表示装置７０を提供することができる。
【００５５】
（５）プロジェクタ１００は、光変調手段に附着した異物などをシンプルな構成によりデフォーカス化できる光学的に直列な２段階の光変調手段を有する画像表示装置７０から出射される第２変調光を、投写レンズ８０により拡大投写する。
よって、プロジェクタ１００は、シンプルな構成により、異物による像の写り込みを低減した画像を投写する。
従って、光変調手段に附着した異物などをシンプルな構成によりデフォーカス化できる光学的に直列な２段階の光変調手段を有するプロジェクタ１００を提供することができる。
【００５６】
なお、本発明は上述した実施形態に限定されず、上述した実施形態に種々の変更や改良などを加えることが可能である。変形例を以下に述べる。
【００５７】
（変形例１）
図４を用いて説明する。前記実施形態において、色変調ライトバルブ２３の画像形成層である液晶１０８層が、共役面Ｋ１から所定の長さｄシフトしていることを前提にして説明したが、これに限定するものではない。例えば、色変調ライトバルブ２３の液晶１０８層が、共役面Ｋ１に配置されていても良い。
画像表示装置７０としての最終的な画像は、後段の輝度変調ライトバルブ４３にて変調された第２変調光により表される画像であることから、光変調手段に附着するゴミや異物が最終画像に与える影響は、光変調ライトバルブ２３よりも、輝度変調ライトバルブ４３にて発生したものの方が大きい。
このため、輝度変調ライトバルブ４３の入射面Ｆｓおよび出射面Ｒｓに防塵ガラス４２，４４がそれぞれ設けられていれば、この構成のみにより、輝度変調ライトバルブ４３に附着した異物像を確実にデフォーカスすることができる。
従って、光変調手段に附着した異物などをシンプルな構成によりデフォーカス化できる光学的に直列な２段階の光変調手段を有するプロジェクタを提供することができる。
【００５８】
（変形例２）
図４を用いて説明する。前記実施形態および変形例において、リレー光学系４０は、前段レンズ群３２、開口絞り３５、後段レンズ群３７から構成されていたが、これに限定するものではない。
例えば、開口絞り３５部に、絞りを兼ねた中段レンズ群（図示せず）を設ける構成であっても良い。また、中段レンズ群を光軸に沿って移動可能とすることにより、所定の面に対する共役面を精密に調整可能な構成としても良い。つまり、リレー光学系４０のテレセントリック性が確保されていれば良い。
これにより、リレー光学系４０のリレー精度を精密に調整することが可能となり、第１変調光を、画素ごとに一対一対応をとって正確に輝度変調ライトバルブ４３の各画素に入射させることができる。
【００５９】
（変形例３）
図１を用いて説明する。前記実施形態および変形例において、画像表示装置７０には、光源部５側に色変調ライトバルブ２３が配置され、投写レンズ８０側に輝度変調ライトバルブ４３が配置されていたが、この構成に限定するものではない。
例えば、光源部５側に輝度変調ライトバルブ４３を配置し、投写レンズ８０側に色変調ライトバルブ２３を配置する構成であっても良い。このような構成とした場合、リレー光学系４０は、輝度変調ライトバルブ４３と、色変調ライトバルブ２３との間の光軸上に配置し、防塵ガラスは、色変調ライトバルブ２３の入射面および出射面に取り付ける。
この構成であっても、輝度変調ライトバルブ４３と、色変調ライトバルブ２３とは、光学的に直列に接続されることから、輝度ダイナミックレンジが広く、豊かな階調表現を実現することができる。
従って、輝度ダイナミックレンジが広く、豊かな階調表現による明るい投写画像が得られる画像表示装置およびプロジェクタを提供することができる。
【００６０】
（変形例４）
図１を用いて説明する。前記実施形態および変形例において、画像表示装置７０は、外部に設けられたスクリーンに対して画像を投写する投写型のプロジェクタ１００に備えられていたが、この構成に限定するものではない。
例えば、透過式のスクリーンと、当該スクリーンの背面に画像を投写する投写レンズとを、１つの個体内に備えたリアプロジェクタに本発明の画像表示装置７０を組み込む構成であっても良い。
この構成によれば、光変調手段に附着した異物などをシンプルな構成によりデフォーカス化できる光学的に直列な２段階の光変調手段を有するリアプロジェクタを提供することができる。
また、画像表示装置７０の実施形態としては、第２光変調手段の画像を投写せず、第２変調手段上の画像を直接的に鑑賞する直視型の画像表示装置に適用することができる。
【００６１】
（変形例５）
図１を用いて説明する。前記実施形態および変形例において、プロジェクタ１００は、第１および第２光変調手段として、それぞれ透過式の液晶ライトバルブを用いていたが、この構成に限定するものではない。例えば、第１および第２光変調手段として、赤、緑、青色のカラーフィルタが規則的に格子状に配置され、１枚でフルカラーの変調光を射出することが可能な単板の液晶ライトバルブを用いる構成であっても良い。
また、反射型液晶表示装置や、ティルトミラーデバイスを用いる構成としても良い。また、第１光変調手段としてティルトミラーデバイスを、第２光変調手段として透過式の液晶ライトバルブを用いるなど、第１光変調手段と第２光変調手段とで、光変調手段の種類を変えた構成であっても良い。
これらの構成であっても、画像形成面を共役面からシフトさせる、あるいは、第２光変調手段のみに防塵ガラスを設けるなど本発明を応用することにより、前記実施形態と同様な作用効果を得ることができる。
【図面の簡単な説明】
【００６２】
【図１】一態様のプロジェクタにおける光学構成を主体とした概略構成図。
【図２】（ａ）一態様における液晶ライトバルブの正面図、（ｂ）液晶ライトバルブの側断面図。
【図３】表示制御部の概略構成図。
【図４】色変調ライトバルブから投写レンズまでの光学系の概略構成図。
【図５】異なる態様の色変調ライトバルブから投写レンズまでの光学系の概略構成図。
【図６】従来のプロジェクタにおける光学構成の概要図。
【図７】従来のプロジェクタにおける第１光変調手段から第２光変調手段までの光学構成図。
【符号の説明】
【００６３】
１…光源としての放電式ランプ、５…光源部、２３…色変調ライトバルブ、２３Ｒ，２３Ｇ，２３Ｂ…第１光変調手段としての液晶ライトバルブ、２９…クロスダイクロイックプリズム、３０…色変調部、４０…リレー光学系、４２，４４，４７…防塵ガラス、４３…輝度変調ライトバルブであり第２光変調手段としての液晶ライトバルブ、５５…表示制御部、６０…回路部、７０…画像表示装置、８０…投写光学系としての投写レンズ、１００…プロジェクタ、１０１，１１１…ベース基板、１０２，１１２…対向基板、１０８，１１８…画像形成面としての液晶（層）、Ｃｅ…光軸、ｄ…所定の長さ、Ｆｓ…入射面、Ｒｓ…出射面、Ｋ１，Ｋ２…共役面。
【図１】
2007218946.tif 000003
【図２】
2007218946.tif 000004
【図３】
2007218946.tif 000005
【図４】
2007218946.tif 000006
【図５】
2007218946.tif 000007
【図６】
2007218946.tif 000008
【図７】
2007218946.tif 000009